(57)【特許請求の範囲】
【請求項１】
遮水層を有する遮水ケーブルと遮水層を有しない非遮水ケーブルのそれぞれのケーブル導体同士を隔壁付き導体接続管で圧縮接続すると共に前記両ケーブルのケーブル絶縁層間に跨がって絶縁筒を取り付けてなる遮水ケーブルと非遮水ケーブルのケーブル接続部において、
前記導体接続管と前記両ケーブルのケーブル絶縁層に跨がって第１の防水手段を設け、前記非遮水ケーブルのケーブルシース端部とケーブル外部半導電層間に跨がって第２の防水手段を設け、さらに、前記絶縁筒を覆い前記両ケーブルのケーブルシースに跨がって第３の防水手段を設けたことを特徴とする遮水ケーブルと非遮水ケーブルのケーブル接続部。
【請求項２】
前記絶縁筒の内面と前記ケーブル絶縁層の表面間に流動可能絶縁性物質が介在されていることを特徴とする請求項１に記載の遮水ケーブルと非遮水ケーブルのケーブル接続部。
【請求項３】
前記両ケーブルのケーブル絶縁層の外径が異なり、外径の小さい方の前記ケーブル絶縁層には外径の大きい方の前記ケーブル絶縁層と外径を揃えためのスペーサが装着されていることを特徴とする請求項１または２に記載の遮水ケーブルと非遮水ケーブルのケーブル接続部。
【請求項４】
前記両ケーブルのケーブル絶縁層の外径が異なり、前記絶縁筒は前記両ケーブルのケーブル絶縁層に密接する異なる内径部を有していることを特徴とする請求項１または２に記載の遮水ケーブルと非遮水ケーブルのケーブル接続部。
【発明の詳細な説明】
【０００１】
【発明の属する技術分野】
本発明は、接続すべき一方のケーブルが遮水構造を有し、他方が非遮水構造を有するケーブルの接続部であって、絶縁筒を用いた差込式あるいは常温収縮式の接続部に関するものである。
【０００２】
【従来の技術】
非遮水構造を有する非遮水ケーブルと遮水構造を有する遮水ケーブルは、絶縁筒を用いて接続される場合がある。
【０００３】
図６、図７はそれぞれ、非遮水ケーブル２０ａと遮水ケーブル２０ｂの段剥ぎした部分の斜視図である。図６、図７において、２１ａ、２１ｂはケーブル導体、２２ａ、２２ｂはケーブル内部半導電層、２３ａ、２３ｂはケーブル絶縁層、２４ａ、２４ｂはケーブル外部半導電層、２５ａ、２５ｂは遮蔽銅テープ、２６ａ、２６ｂはケーブルシースである。また、２７は遮水層である。
【０００４】
なお、遮水ケーブル２０ｂでは、ケーブル絶縁層２３ｂが吸湿する恐れがないので、絶縁設計を厳しくして、ケーブル絶縁層２３ｂの厚さを非遮水ケーブル２０ａのケーブル絶縁層２３ａの厚さよりも薄くしている。
【０００５】
図８は、上記接続に用いられる絶縁筒の縦断面図である。図８に示すように、絶縁筒３１は、絶縁ゴムからなる絶縁層３３の外側に半導電性ゴムからなる外部半導電層３２を有し、内側に半導電性ゴムからなる内部半導電層３４を有するもので、筒状の拡径保持部材３５により拡径されて保持されている。絶縁筒３１の内径は、接続されるケーブルのケーブル絶縁層の外径より小さく形成されているが、拡径保持部材３５により前記ケーブル絶縁層の外径より大きく拡径されて保持されている。
【０００６】
拡径保持部材３５は、図９（ａ）に示すように、プラスチックからなる帯状物３７を螺旋状に巻いたものである。帯状物３７は、図９（ｂ）に示すように、両側端の相対する面に長手方向の凹凸部３７ａ、３７ｂが設けられており、図９（ｃ）に示すように、凹凸部３７ａ、３７ｂを嵌合させて、螺旋状に巻かれている。
【０００７】
ケーブル接続部の形成に当っては、上記拡径保持部材３５により拡径された絶縁筒３１を、ケーブル導体２１ａ、２１ｂを接続する前に、あらかじめ一方のケーブルシース２６ａ（または２６ｂ）上に挿通しておき、ケーブル導体２１ａ、２１ｂの接続後に絶縁筒３１を導体接続部上に戻す。そして、拡径保持部材３５の一端側の抜き取り部材３６を引っ張り、拡径保持部材３５を引抜くことにより、絶縁筒３１を自己収縮力によりケーブル絶縁層２３ａ、２３ｂ上に密接するように装着する。
【０００８】
【発明が解決しようとする課題】
ところで、上記非遮水ケーブル２０ａはケーブルシース２６ａがプラスチックで構成されており、金属層からなる場合のように水分の通過を完全に防止することができない。そのため、長期間の浸水等を受けた非遮水ケーブル２０ａにおいては、ケーブルシース２６ａを透過した水分が遮蔽銅テープ２５ａやケーブル導体２１ａに達する。この水分は接続部を軸方向に通過して、接続部の他方のケーブルに到る。
【０００９】
接続部の他方のケーブルが遮水ケーブル２０ｂであると、遮水ケーブル２０ｂ自体は遮水構造をなしているため、外部から水分が浸入してくることはない。しかし、接続部を通過して上記非遮水ケーブル２０ａからの水分の浸入を受ける。このため、遮水されていることを前提として絶縁設計がしてある遮水ケーブル２０ｂは浸入した水分による絶縁劣化を受けやすく、最悪の場合には絶縁破壊に至るという問題があった。
【００１０】
また、絶縁筒３１を拡径保持する帯状物３７を螺旋状に巻いて拡径保持部材３５を形成すると、凹凸部３７ａ、３７ｂのサイズの相違、あるいはそれらの嵌合の程度により、図９（ｃ）に示すように、拡径保持部材３５の側端の嵌合部に段差３８が生じることがある。この拡径保持部材３５を絶縁筒３１内に装着すると、この段差３８が絶縁筒３１（ゴム弾性体からなる）の内面に転写されて、絶縁筒３１の内面に凹凸が生じることがある。
【００１１】
このため、上記拡径保持部材３５で拡径された絶縁筒３１をケーブルの接続部に使用した場合、絶縁筒３１内面とケーブル絶縁層２３ａ、２３ｂ表面との間に空隙（ボイド）が形成されて電界の集中が生じ、電気的性能を低下させるという問題もあった。
【００１２】
さらに、接続する非遮水ケーブル２０ａのケーブル絶縁層２３ａと遮水ケーブル２０ｂのケーブル絶縁層２３ｂの外径が異なる場合には、絶縁筒３１が均等な圧力でケーブル絶縁層２３ａ、２３ｂに装着されず、外径が細い側のケーブルの電気性能が低下するという問題があった。
【００１３】
本発明は前記従来の問題点を解消するためになされたものであって、その目的は、非遮水ケーブルに水分が浸入してもその水分を前記接続部で止めて、この接続部で接続されている遮水ケーブルに水分が浸入しないようにし、水分の浸入による遮水ケーブルの被害を防止することにある。また、他の目的は、絶縁筒とケーブル絶縁層との間に空隙が形成されるのを防ぐことにある。さらに他の目的は、接続するケーブル絶縁層の外径が異なる場合でも、絶縁筒がケーブル絶縁層に均等な圧力で装着されるようにすることにある。これによって、電気的性能が低下することがない遮水ケーブルと非遮水ケーブルのケーブル接続部を提供することができる。
【００１４】
【課題を解決するための手段】
本発明は上記問題点を解決すべくなされたもので、請求項１に記載の発明は、遮水層を有する遮水ケーブルと遮水層を有しない非遮水ケーブルのそれぞれのケーブル導体同士を隔壁付き導体接続管で圧縮接続すると共に前記両ケーブルのケーブル絶縁層間に跨がって絶縁筒を取り付けてなる遮水ケーブルと非遮水ケーブルのケーブル接続部において、前記導体接続管と前記両ケーブルのケーブル絶縁層に跨がって第１の防水手段を設け、前記非遮水ケーブルのケーブルシース端部とケーブル外部半導電層間に跨がって第２の防水手段を設け、さらに、前記絶縁筒を覆い前記両ケーブルのケーブルシースに跨がって第３の防水手段を設けたことを特徴とするものである。
【００１５】
また、請求項２に記載の発明は、請求項１に記載の発明において、前記絶縁筒の内面と前記ケーブル絶縁層の表面間に流動可能絶縁性物質が介在されていることを特徴とする。
【００１６】
また、請求項３に記載の発明は、請求項１または２に記載の発明において、前記両ケーブルのケーブル絶縁層の外径が異なり、外径の小さい方の前記ケーブル絶縁層には外径の大きい方の前記ケーブル絶縁層と外径を揃えるためのスペーサが装着されていることを特徴とするものである。
【００１７】
さらに、請求項４に記載の発明は、請求項１または２に記載の発明において、前記両ケーブルのケーブル絶縁層の外径が異なり、前記絶縁筒は前記両ケーブルのケーブル絶縁層に密接する異なる内径部を有していることを特徴とするものである。
【００１８】
請求項１に記載の発明によれば、導体接続管と接続される非遮水ケーブル側のケーブル絶縁層に跨がって第１の防水手段を設けたため、非遮水ケーブルのケーブル絶縁層の内側からケーブル導体を伝わって、水分が遮水ケーブルに浸入するのを防ぐことができる。なお、ケーブル導体内を伝わってきた水分は導体接続管に設けた隔壁で止められる。また、非遮水ケーブルのケーブルシース端部とケーブル外部半導電層間に跨がって第２の防止手段を設けたため、非遮水ケーブルのケーブルシースとケーブル外部半導電層の間から水分が、例えば遮蔽銅テープを伝わって、遮水ケーブルに浸入するのを防ぐことができる。さらに、絶縁筒を覆うと共にその両側のケーブルのケーブルシースに跨がって第３の防水手段を設けたため、接続部の外側から水分が遮水ケーブルに浸入するのを防ぐことができる。
【００１９】
また、請求項２に記載の発明によれば、絶縁筒の内面とケーブル絶縁層の表面間に流動可能絶縁性物質が介在されているため、絶縁筒の内面は該絶縁性物質を介して非遮水ケーブルおよび遮水ケーブルのケーブル絶縁層に空隙を生じることなく装着され、接続部における電気絶縁性能の低下を防ぐことができる。なお、絶縁性物質はケーブル絶縁体と同等以上の非透湿性の材料であることが望ましい。
【００２０】
また、請求項３に記載の発明によれば、両ケーブルのケーブル絶縁層の外径が異なる場合に、絶縁筒は、外径の小さいケーブル絶縁層にはスペーサを介して密接して装着されているため、絶縁筒は内径が長手方向に一様であっても、外径の異なるケーブル絶縁層を有するケーブルの接続部における電気絶縁性能の低下を防ぐことができる。
【００２１】
さらに、請求項４に記載の発明によれば、両ケーブルのケーブル絶縁層の外径が異なる場合に、絶縁筒は両ケーブルのケーブル絶縁層に密接する異なる内径部を有しているため、両ケーブルのケーブル絶縁層の外径が異なっても、接続部における電気絶縁性能の低下を防ぐことができる。
【００２２】
【発明の実施の形態】
以下、図面を参照して本発明の実施例を詳細に説明する。
【００２３】
図１は、本発明に係る遮水ケーブルと非遮水ケーブルのケーブル接続部の一実施形態の部分縦断面図である。図１は、図６、図７に関して説明した部分と同部分は同符号で指示してある。なお、７は外部半導電層処理部である。
【００２４】
図１に示すように、本実施形態では、非遮水ケーブル２０ａおよび遮水ケーブル２０ｂの露出されたケーブル導体２１ａ、２１ｂが相互に隔壁１ａ付き導体接続管１により圧縮接続されている。また、非遮水ケーブル２０ａのケーブル絶縁層２３ａ、遮水ケーブル２０ｂのケーブル絶縁層２３ｂの表面は絶縁筒３１により覆われている。
【００２５】
本実施形態が従来例と異なる特徴的なことは、以下のような防水手段がとられていることである。
【００２６】
先ず第１の防水手段として、ケーブル導体２１ａと２１ｂを接続している導体接続管１の端部とケーブル絶縁層２３ａ、２３ｂの端部に跨がって、密に粘着水密テープ２が巻き付けらえていることである。
【００２７】
また第２の防水手段として、非遮水ケーブル２０ａ側のケーブル外部半導電層２４ａの表面とケーブルシース２６ａの端部に跨がって粘着水密シート４が巻き付けられていることである。
【００２８】
なお、非遮水ケーブル２０ａ側の遮蔽銅テープ２５ａの接地用の接地導体は、図示されていないが、遮蔽銅テープ２５ａに接続後、その周囲に粘着水密シートを巻き付けてシース２６ａ外部へ引き出されることにより、接地導体周囲の水密を確実にすることができる。なお、図１において、符号２８は非遮水ケーブル２０ａ側の遮蔽銅テープ２５ａと遮水ケーブル２０ｂ側の遮蔽銅テープ２５ｂとを接続した金属遮蔽接続線である。
【００２９】
さらに、第３の防水手段として、絶縁筒３１の表面に非遮水ケーブル２０ａおよび遮水ケーブル２０ｂのケーブルシース２６ａ、２６ｂに跨がり、遮水収縮チューブ５を被せ、遮水収縮チューブ５の端部とシース２６ａ、２６ｂに跨がり、防水テープ６を巻き付けられていることである。なお、絶縁筒３１の端部（外部半導電層３２）とケーブル外部半導電層２４ａ、２４ｂに跨がって粘着水密シート３が巻き付けられている。
【００３０】
本実施形態によれば、第１の防水手段により、非遮水ケーブル２０ａのケーブル導体２１ａを伝わって水分が浸入してきても、この水分は粘着水密テープ２に阻止されて、遮水ケーブル２０ｂ側に伝わることはない。
【００３１】
また、第２の防水手段により、非遮水ケーブル２０ａのケーブル外部半導電層２４ａとケーブルシース２６ａ間にある遮蔽銅テープ２５ａを伝わって水分が浸入してきても、この水分は粘着水密シート４に阻止されて、接続部側に浸入ずることはない。
【００３２】
さらに、第３の防水手段により、接続部外側からの水分は、遮水収縮チューブ５と防水テープ６により阻止されて、接続部内に浸入することはない。
【００３３】
本実施形態において、絶縁筒３１は、図２（ａ）、（ｂ）に示すように、内面にシリコーングリースやフッ素グリース或いはシリコーンオイルやフッ素オイル等の如き流動可能絶縁性物質４１が塗布された状態で拡径保持部材３５が挿入されて、ケーブル絶縁層２３ａ、２３ｂの外径より大きく拡径されている。したがって、絶縁筒３１の内面と拡径保持部材３５との間には非接着性の流動可能絶縁性物質４１が介在されて詰まっており、拡径保持部材３５の段差３８が絶縁筒３１の内面に倒立転写されても、ケーブル接続部を構成後に流動可能絶縁性物質４１の流動により、流動可能絶縁性物質４１と絶縁筒３１は密着状態となり、これらの界面に空隙が発生することはない。
【００３４】
このような拡径された絶縁筒３１を、拡径保持部材３５を引き抜いて、ケーブル絶縁層２３ａ、２３ｂ上に装着すると、絶縁筒３１は空隙を生ずることなくケーブル絶縁層２３ａ、２３ｂに密接して装着される。
【００３５】
絶縁筒３１は、上記実施形態に限定されることはない。図３は、接続される非遮水ケーブル２０ａと遮水ケーブル２０ｂのケーブル絶縁層２３ａ、２３ｂの外径が異なる場合に用いられる絶縁筒３１の要部縦断面図である。図３において、絶縁筒３１の小径のケーブル絶縁層が挿入される側の内面に円筒状のスペーサ４２が設けられている。そして、絶縁筒３１の大径側の内径と小径側の内径は、外径の異なるケーブル絶縁層に装着したときに、略均等な界面圧力が得られるよう設定されている。３３は絶縁層、３４は内部半導電層、３６は抜き取り部材である。なお、スペーサ４２は絶縁部４２ａと半導電部４２ｂとからなる。
【００３６】
また、拡径保持部材３５は、絶縁筒３１及びスペーサ４２の内径の相違に対応して、外径の異なるものが２個、絶縁筒３１の両側から挿入されている。
【００３７】
なお、スペーサ４２を絶縁筒３１内の両側に設けて、所望の内径を形成してもよく、また、拡径保持部材３５は、外径の異なる部分からなる一個のものであってもよい。
【００３８】
図４は、接続すべきケーブル絶縁層の外径が異なる場合の他の実施形態の要部縦断面図である。図４において、４３は小径のケーブル絶縁層、４４は大径のケ一ブル絶縁層である。絶縁筒３１の内径は長手方向に一様になっており、小径ケーブル絶縁層４３にスペーサ４５が被せられている。スペーサ４５の外径は、絶縁筒３１を外径の異なるケーブル絶縁層４３、４４に装着したとき、両方に略均等な界面圧力が得られるように設定されている。なお、スペーサ４５は絶縁部４５ａと、半導電部４５ｂとからなり、半導電部４５ｂで絶縁筒３１の外部半導電層３２とケーブル外部半導電層２４が電気的に接続している。この部分には、図１に示すように、外部半導電層処理部７を設ける場合もある。
【００３９】
この接続部の形成に当っては、ケーブル導体４６、４７を接続する前に、スぺ一サ４５を予めケーブル絶縁層４３の端部に被せておき、その後、ケーブル導体４６、４７を接続し、予めケーブル絶縁層４３上に挿通されていた絶縁筒３１を導体接続部上に戻す。
【００４０】
図５は、接続するケーブル絶縁層の外径が異なる場合に用いる絶縁筒３１の他の実施形態の要部縦断面図である。図５において、絶縁筒３１は長さ方向の中央部付近を境にしてその両側で内径が異なっており、その内径は外径の異なるケーブル絶縁層に装着されたときに、それぞれのケーブルが要求する所定以上の界面圧力が得られるように設定されている。
【００４１】
なお、上記例では、流動可能絶縁性物質を予め絶縁筒の内面に塗布しておいて、絶縁筒とケーブル絶縁層の表面間に流動可能絶縁性物質を介在させたが、絶縁筒の内面には流動可能絶縁性物質を塗布せず、その代わりにケーブル絶縁層の表面に流動可能絶縁性物質を塗布しておいて、絶縁筒とケーブル絶縁層の表面間に流動可能絶縁性物質を介在させることもできる。
【００４２】
【発明の効果】
以上説明したように請求項１に記載の発明では、接続部に位置を異にして第１，第２，第３の防水手段を設けているので、非遮水ケーブルから遮水ケーブルヘ水分の浸入を防ぐことができるという優れた効果がある。
【００４３】
また、請求項２に記載の発明では、絶縁筒の内面とケーブル絶縁層の表面間に流動可能絶縁性物質を介在させているので、接続部における絶縁性能の低下を防ぐことができるという優れた効果がある。
【００４４】
また、請求項３、４に記載の発明では、接続される非遮水ケーブルと遮水ケーブルのケーブル絶縁層の外径が異なる場合に、外径の小さい方のケーブル絶縁層には外径の大きい方のケーブル絶縁層と外径を揃えるためのスペーサを装着して絶縁筒を装着するか、絶縁筒が両ケーブルのケーブル絶縁層に密接する異なる内径部を有しているので、接続される非遮水ケーブルと遮水ケーブルのケーブル絶縁層の外径が異なっても、絶縁性能の低下を防ぐことができるという優れた効果がある。
【図面の簡単な説明】
【図１】本発明に係る遮水ケーブルと非遮水ケーブルのケーブル接続部の一実施形態の部分縦断面図である。
【図２】（ａ）、（ｂ）はそれぞれ、上記実施形態に用いた絶縁筒の部分断面図および（ａ）のＡ部の拡大図である。
【図３】絶縁筒の他の実施形態の縦断面図である。
【図４】絶縁筒のさらなる他の実施形態の縦断面図である。
【図５】絶縁筒のさらなる他の実施形態の縦断面図である。
【図６】非遮水ケーブルの段剥ぎした部分の斜視図である。
【図７】遮水ケーブルの段剥ぎした部分の斜視図である。
【図８】従来の絶縁筒の縦断面図である。
【図９】（ａ）〜（ｃ）はそれぞれ、拡径保持部材の側面図、前記拡径保持部材を構成する帯状物の断面図、および（ａ）のＡ部の拡大図である。
【符号の説明】
１  導体接続管
１ａ  隔壁
２  粘着水密テープ
３、４  粘着水密シート
５  遮水収縮チューブ
６  防水テープ
７  外部半導電層処理部
２０ａ  非遮水ケーブル
２０ｂ  遮水ケーブル
２１ａ、２１ｂ、４６、４７  ケーブル導体
２３ａ、２３ｂ、４３、４４  ケーブル絶縁層
２４、２４ａ、２４ｂ  ケーブル外部半導電層
２５ａ、２５ｂ  遮蔽銅テープ
２６ａ、２６ｂ  ケーブルシース
２７  遮水層
２８  金属遮蔽接続線
３１  絶縁筒
３２  外部半導電層
３３  絶縁層
３４  内部半導電層
３５  拡径保持部材
３６  抜き取り部材
３７  帯状物
３７ａ、３７ｂ  凹凸部
４１  流動可能絶縁性物質
４２、４５  スペーサ
４２ａ、４５ａ  絶縁部
４２ｂ、４５ｂ  半導電部
【図１】
0003869229.tif 000002
【図２】
0003869229.tif 000003
【図３】
0003869229.tif 000004
【図４】
0003869229.tif 000005
【図５】
0003869229.tif 000006
【図６】
0003869229.tif 000007
【図７】
0003869229.tif 000008
【図８】
0003869229.tif 000009
【図９】
0003869229.tif 000010